(57)【特許請求の範囲】
【請求項１】
雄ロータの回転数が等しくなるように駆動され、吐出流路が互いに接続された、雄ロータの歯数が等しい複数のスクリュ圧縮機を有し、
前記スクリュ圧縮機の台数をｎ、前記雄ロータの歯数をｍとすると、
前記複数のスクリュ圧縮機は、３６０／（ｍ・ｎ）度ずつ前記雄ロータの位相がずらされており、且つ、吸込圧力が互いに等しくなるように吸込流路がそれぞれ同じ吸気チャンバに接続されていることを特徴とする圧縮装置。
【請求項２】
前記複数のスクリュ圧縮機は、互いに歯車を介して接続されており、１台のモータによって駆動されることを特徴とする請求項１に記載の圧縮装置。
【発明の詳細な説明】
【技術分野】
【０００１】
本発明は圧縮装置に関する。
【背景技術】
【０００２】
スクリュ圧縮機では、スクリュロータの位相に応じて吸込圧力および吐出圧力が脈動する。この吸込圧力および吐出圧力の脈動は、振動を引き起こし、騒音としても認識され得る。
【０００３】
特許文献１には、スクリュ圧縮機の吐出流路の断面積をスクリュロータに同期して変化させることで、脈動を低減する発明が記載されている。しかしながら、スクリュ圧縮機の吐出圧がピークとなる位相は、回転数や吐出圧力によって変化する。このため、特許文献１に記載の発明は、回転数および圧力条件が一定である場合にしか適用できない。
【０００４】
特許文献２には、液冷式スクリュ圧縮機の吸込流路を通じて外部に漏れ出る騒音を低減するために、吸込流路にスクリュ圧縮機の回転数に応じた量の冷却液を供給することにより、冷却液の消音作用を調整する発明が記載されているが、吐出側の脈動を抑制することはできない。
【先行技術文献】
【特許文献】
【０００５】
【特許文献１】特開平７−３３２２６７号公報
【特許文献２】特開２０１０−１６４０５９号公報
【発明の概要】
【発明が解決しようとする課題】
【０００６】
前記問題点に鑑みて、本発明は、回転数や圧力条件によらず、騒音を低減できる圧縮装置を提供することを課題とする。
【課題を解決するための手段】
【０００７】
前記課題を解決するために、本発明による圧縮装置は、雄ロータの回転数が等しくなるように駆動され、吐出流路が互いに接続された、雄ロータの歯数が等しい複数のスクリュ圧縮機を有し、前記スクリュ圧縮機の台数をｎ、前記雄ロータの歯数をｍとすると、前記複数のスクリュ圧縮機は、３６０／（ｍ・ｎ）度ずつ前記雄ロータの位相がずらされており、且つ、吸込圧力が互いに等しくなるように吸込流路がそれぞれ同じ吸気チャンバに接続されていることを特徴とする。
【０００８】
この構成によれば、各スクリュ圧縮機が吐出圧力の脈動を互いに相殺し合うので、吐出圧力の脈動が小さく、低騒音である。
また、吸込圧力が互いに等しくなるように接続されているので、吸込側の条件を揃えることで、吐出側の条件も等しくなり、吐出側の脈動を効果的に相殺できる。
【０００９】
また、本発明の圧縮装置において、前記複数のスクリュ圧縮機は、互いに歯車を介して接続されており、１台のモータによって駆動されてもよい。
【００１０】
この構成によれば、各スクリュ圧縮機の雄ロータの位相差が機械的に決定されるので、確実に脈動を低減できる。
【発明の効果】
【００１３】
以上のように、本発明による圧縮装置は、吐出流路が互いに接続された、雄ロータの歯数が等しい複数のスクリュ圧縮機を有し、前記スクリュ圧縮機の台数をｎ、雄ロータの歯数をｍとすると、前記複数のスクリュ圧縮機は、３６０／（ｍ・ｎ）度ずつ前記雄ロータの位相がずらされている。したがって、本発明によって、吐出圧力の脈動が小さく、低騒音な圧縮装置を提供することができる。
【図面の簡単な説明】
【００１４】
【図１】本発明の第１実施形態の圧縮装置の概略断面図である。
【図２】図１の圧縮装置のスクリュロータとモータとの接続を示す図である。
【図３】本発明の第２実施形態の圧縮装置のスクリュロータとモータとの接続を示す図である。
【発明を実施するための形態】
【００１５】
これより、本発明の実施形態について、図面を参照しながら説明する。図１は、本発明の第１実施形態である空気圧縮装置１の概略構成を示す。空気圧縮装置１は、２台（台数ｎ＝２）のスクリュ圧縮機２ａ，２ｂと、スクリュ圧縮機２ａ，２ｂを駆動する１台のモータ３と、スクリュ圧縮機２ａ，２ｂとモータ３とを接続するギアボックス４と、フィルタ５ａを備える吸気チャンバ５と、吸気チャンバ５とスクリュ圧縮機２ａ，２ｂの吸込部をそれぞれ接続する吸込流路６ａ，６ｂと、スクリュ圧縮機２ａ，２ｂ吐出部にそれぞれ接続された吐出流路７ａ，７ｂと、吐出流路７ａ，７ｂを接続した集合流路８とを有する。
【００１６】
スクリュ圧縮機２ａ，２ｂは、それぞれ、ハウジング９の内部に、図２に示すように互いに咬合し合う雄ロータ１０および雌ロータ１１を収容してなる。雄ロータ１０のロータ軸１０ａは、ギアボックス４内に延伸し、ギアボックス４内において、モータ３の出力軸３ａに取り付けられた駆動歯車１２に咬合して駆動される従動歯車１３ａ，１３ｂが取り付けられている。
【００１７】
スクリュ圧縮機２ａ，２ｂは、雄ロータ１０および雌ロータ１１の形状が互いに等しい。本実施形態において、雄ロータ１０は４条（歯数ｍ＝４）のスクリュロータであり、雌ロータ１１は６条のスクリュロータである。従動歯車１３ａ，１３ｂの歯数も、互いに等しいが、スクリュ圧縮機２ａとスクリュ圧縮機２ｂの間で雄ロータ１０の位相が４５度、雌ロータ１１の位相が３０度互いに異なるように、従動歯車１３ａ，１３ｂと駆動歯車１２とが咬合している。
【００１８】
空気圧縮装置１において、スクリュ圧縮機２ａ，２ｂがそれぞれ吐出する圧縮空気の圧力は、歯溝毎に同じように変化する。したがって、スクリュ圧縮機２ａ，２ｂから吐出される圧縮空気の圧力は、それぞれ、雄ロータ１０の位相で９０度毎にピークになる。そして、スクリュ圧縮機２ａ，２ｂは、雄ロータ１０の位相が４５度互いにずらされているので、スクリュ圧縮機２ａ，２ｂから吐出される圧縮空気のピークの圧力が生じるタイミングは、互いに雄ロータ１０の位相で４５度ずれたタイミングとなる。
【００１９】
このため、スクリュ圧縮機２ａの吐出流路７ａでの吐出圧力の脈動と、スクリュ圧縮機２ｂの吐出流路７ｂでの吐出圧力の脈動とがずらされ、互いのピークを相殺し合うため、集合流路８における圧縮空気の圧力の脈動が小さくなる。
【００２０】
本実施形態の圧縮装置１において、スクリュ圧縮機２ａ，２ｂの雄ロータ１０の位相を変えて組み立てて、騒音値を測定した結果、雄ロータ１０の位相を４５度ずらした場合の騒音値は、雄ロータ１０の位相を同位相とした場合の約半分の値であった。
【００２１】
また、本実施形態において、吸込流路６ａ，６ｂは、同じ吸気チャンバ５内の空気を吸い込むように配設されている。このため、スクリュ圧縮機２ａの吸込圧力とスクリュ圧縮機２ｂの吸込圧力とが等しくなる。したがって、雄ロータ１０および雌ロータ１１の形状が互いに等しいスクリュ圧縮機２ａ，２ｂが吐出する圧縮空気の圧力変化は、位相が異なるだけで、互いに等しい波形となる。これにより、スクリュ圧縮機２ａ，２ｂの吐出圧力の脈動が相互に同程度相殺される。
【００２２】
続いて、図３に、本発明の第２実施形態の圧縮装置１に係る雄ロータ１０および雌ロータ１１の駆動に係るギアの構成を示す。本実施形態の圧縮装置１は、３台（ｎ＝３）のスクリュ圧縮機２ａ，２ｂ，２ｃを有し、各スクリュ圧縮機２ａ，２ｂ，２ｃの雄ロータ１０の従動歯車１３ａ，１３ｂ，１３ｃが、中間歯車１４を介して互いに接続されている。そして、スクリュ圧縮機２ｂの従動歯車１３ｂのみが、１台のモータ（不図示）によって駆動される駆動歯車１２に咬合して駆動されるようになっている。
【００２３】
本実施形態において、スクリュ圧縮機２ａ，２ｂ，２ｃは、それぞれの雄ロータ１０の位相が、３０度ずつ、雌ロータ１１の位相が２０度ずつ、順番にずらされている。これによって、各スクリュ圧縮機２ａ，２ｂ，２ｃの吐出圧力は、雄ロータ１０の位相にして３０度毎に１台ずつピークを示し、これらの圧力変動が互いに相殺し合う。
【００２４】
本発明は、さらに多数のスクリュ圧縮機を有する圧縮装置に適用できる。圧縮装置において、吐出流路が接続されたスクリュ圧縮機の台数をｎ、スクリュ圧縮機の雄ロータの歯数をｍとすると、３６０／（ｎ・ｍ）度ずつ各圧縮機の雄ロータの位相をずらせば、各スクリュ圧縮機の吐出圧力の脈動を互いに相殺させて、騒音を低減できる。
【００２５】
当然ながら、雄ロータの位相をずらすと、歯数ｍ’の雌ロータについても、その位相を３６０／（ｎ・ｍ’）度ずつずらしたものとなる。また、雄ロータの位相を一定に保つためには、雄ロータの回転数が等しくなるように駆動されなければならない。尚、雄ロータの位相を一定に保つことができるのであれば、各スクリュ圧縮機を個別のモータによって駆動してもよい。
【符号の説明】
【００２６】
１…圧縮装置
２ａ，２ｂ，２ｃ…スクリュ圧縮機
３…モータ
４…ギアボックス
６ａ，６ｂ…吸込流路
７ａ，７ｂ…吐出流路
８…集合流路
１０…雄ロータ
１１…雌ロータ
１２…駆動歯車
１３ａ，１３ｂ，１３ｃ…従動歯車
１４…中間歯車
【図１】
0005714454.tif 000002
【図２】
0005714454.tif 000003
【図３】
0005714454.tif 000004